(57)【要約】【課題】安価であり、正確かつ簡便で多数の検体処理が可能な、Ｄ−マンノースの測定方法及び測定用試薬を提供すること。【解決手段】試料中のＤ−マンノースに、Ｄ−マンノースに対して酸化能を有するニコチンアミドアデニンジヌクレオチド依存性脱水素酵素を酸化型ニコチンアミドアデニンジヌクレオチドの存在下において作用させ、生成された還元型ニコチンアミドアデニンジヌクレオチドを定量することを特徴とするＤ−マンノースの測定方法、及び、Ｄ−マンノースに対して酸化能を有するニコチンアミドアデニンジヌクレオチド依存性脱水素酵素と酸化型ニコチンアミドアデニンジヌクレオチドとを含むことを特徴とするＤ−マンノースの測定用試薬。【選択図】　なし【特許請求の範囲】
【請求項１】
試料中のＤ−マンノースに、Ｄ−マンノースに対して酸化能を有するニコチンアミドアデニンジヌクレオチド依存性脱水素酵素を酸化型ニコチンアミドアデニンジヌクレオチドの存在下において作用させ、生成された還元型ニコチンアミドアデニンジヌクレオチドを定量することを特徴とするＤ−マンノースの測定方法。
【請求項２】
ニコチンアミドアデニンジヌクレオチド依存性脱水素酵素が、アーキア由来のアルドヘキソースデヒドロゲナーゼである請求項１記載のＤ−マンノースの測定方法。
【請求項３】
Ｄ−マンノースに対して酸化能を有するニコチンアミドアデニンジヌクレオチド依存性脱水素酵素と酸化型ニコチンアミドアデニンジヌクレオチドとを含むことを特徴とするＤ−マンノースの測定用試薬。
【請求項４】
ニコチンアミドアデニンジヌクレオチド依存性脱水素酵素が、アーキア由来のアルドヘキソースデヒドロゲナーゼである請求項３記載のＤ−マンノースの測定用試薬。
【発明の詳細な説明】
【０００１】
【発明の属する技術分野】
本発明は、酵素法による安価で正確かつ簡便なＤ−マンノースの測定方法及び測定用試薬に関する。
【０００２】
【従来の技術】
ヘキソースの１種であるＤ−マンノースは、生体内では、主に糖タンパク質や糖脂質などの糖鎖合成に利用されており、糖タンパク質の生合成や分泌、さらには、糖タンパク質の機能発現に重要な役割を果たしている。また、Ｄ−マンノースは、ヒト血中にも微量に存在しており、その供給経路は食物由来からの吸収はなく、主にグルコース代謝系（即ち、グルコース→グルコース−６−リン酸→フルクトース−６−リン酸→マンノース−６−リン酸）から供給されている。また、マンノース−６−リン酸から合成されるＧＤＰ−マンノース（マンノース−６−リン酸→マンノース−１−リン酸→ＧＤＰ−マンノース）は、マンノース糖鎖合成のドナーとして、重要な役割を果たしていることが知られている。
【０００３】
Ｄ−マンノースの血中濃度は、多くの報告があるが、平均値で１６〜８１μＭ、ＳＤの範囲では１１〜１４２μＭとされている（「日本臨牀」，　１９９５年，　第５３巻（増刊号），　ｐ．５７９−５８１）。血中のＤ−マンノース濃度は、血糖コントロール不良の糖尿病（「クリニカ・クリミカ・アクタ（Ｃｌｉｎ．　Ｃｌｉｍ．　Ａｃｔａ）」，　１９９６年，　第２５１巻，　ｐ．９１−１０３）や真菌感染症（「ジャーナル・オブ・クリニカル・マイクロバイオロジー（Ｊ．　Ｃｌｉｎ．　Ｍｉｃｒｏｂｉｏｌ．）」，　１９８５年，　第２１巻（６），　ｐ．９７２−９７９）の患者で上昇することが知られており、これら疾患の診断に有用であることが示唆されている。
【０００４】
糖尿病患者では、空腹時の血清マンノースが健常者の３〜５倍に上昇し、グルコースとよく相関することが知られている（「防衛医科大学校雑誌」，　１９９０年，　第１５巻（４），　ｐ．２１７−２２３；「クリニカ・クリミカ・アクタ（Ｃｌｉｎ．　Ｃｈｉｍ．　Ａｃｔａ）」，　１９９６年，　第２５１巻，　ｐ．９１−１０３）。特に、ケトアシドーシスの症例においては、約６７０μＭ（健常者平均値の５０倍）に達し、治療で約５０μＭにまで改善した（「防衛医科大学校雑誌」，　１９９０年，　第１５巻（４），　ｐ．２１７−２２３）。糖尿病の合併症では、網膜症の発症群で、血清マンノースが有意に高値だった（「糖尿病」，　１９９０年，　第３３巻（Ｓｕｐ．），　ｐ．１４４；「糖尿病」，　１９９１年，　第３４巻（Ｓｕｐ．），　ｐ．２７７）。白内障患者のレンズ中の糖鎖に含まれるマンノースの割合は、糖尿病群では非糖尿病群より高かった（「防衛医科大学校雑誌」，　１９９３年，　第１８巻（４），　ｐ．３０８−３１５）。妊娠糖尿病では、妊娠の初期、中期、後期を通じ、糖尿病群の血清マンノースは正常群より高く、妊娠初期のマンノース高値群で自然流産の頻度が高かった（「糖尿病」，　１９９０年，　第３３巻（９），　ｐ．７１９−７２５）などの報告がある。また、免疫力の低下した患者で問題になる真菌症、特に、カンジダ症においては、血清マンノースが１１０〜１，３１５μＭ（健常者平均値の６３倍）と、著しく上昇していたとの報告がある（「日本臨牀」，　１９９５年，　第５３巻（増刊号），　ｐ．５７９−５８１；「日本医事新報」，　１９８７年，　Ｎｏ．３２８６，　ｐ．４６−４８）。
【０００５】
生化学検査のほとんどの項目は、汎用の自動分析装置で測定されている。また、近年の医療費の高騰により、汎用の自動分析装置に対応できない、即ち、特殊な分析装置を必要とし、人手が必要で人件費のかかる検査項目は、事実上、臨床応用が困難な状況にある。これまで、Ｄ−マンノースの測定法として数多くの報告はあるが、何れも煩雑な操作を必要とするため、自動分析装置での測定は困難であった（「クリニカル・ケミストリー（Ｃｌｉｎ．　Ｃｈｅｍ．）」，　１９９７年，　第４３巻（３），　ｐ．５３３−５３８）。
【０００６】
最も信頼できるＤ−マンノースの測定法として、キャピラリー・ガスクロマトグラフィー（ＧＣ）法（防衛医科大学校雑誌　１５（４）　ｐ２１７−２２３（１９９０））やガスクロマトグラフィー・マススペクトロメトリー（ＧＣ−ＭＳ）法（「クリニカ・キミカ・アクタ（Ｃｌｉｎ．　Ｃｈｉｍ．　Ａｃｔａ）」，　１９９６年，　第２５１巻，　ｐ．９１−１０３）などの分離分析法が報告されているが、何れも、煩雑な前処理と高度なメンテナンス技術を要する特殊な装置を必要としていた。
【０００７】
また、酵素を用いたＤ−マンノースの測定法も幾つか報告されている。ひとつは、マンノースをヘキソキナーゼ（ＥＣ２．７．１．１）でリン酸化してマンノース−６−リン酸を生成させ、生成したマンノース−６−リン酸をマンノースリン酸イソメラーゼ（ＥＣ５．３．１．８）でフルクトース−６−リン酸へ異性化し、さらに、フルクトース−６−リン酸をグルコースリン酸イソメラーゼ（ＥＣ５．３．１．９）でグルコース−６−リン酸に異性化後、検体中のマンノース量に応じて生成したグルコース−６−リン酸を、補酵素の存在下にグルコース−６−リン酸脱水素酵素（ＥＣ１．１．１．４９）を用いて酸化し、この反応によって生じた補酵素の還元体を分光光度計で測定するものである（「クリニカル・ケミストリー（Ｃｌｉｎ．　Ｃｈｅｍ．），　１９８４年，　第３０巻（２），　ｐ．２９３−２９４）。この酵素系でＤ−マンノースを測定する場合、ヘキソキナーゼはグルコースもリン酸化するため、多量のグルコース−６−リン酸を生じ、これがグルコース−６−リン酸脱水素酵素と反応することになる。特に、ヒト血清中においては、グルコース量はマンノース量の１００倍ぐらいに達するため、測定前に、効率的に除去しておく必要がある。
【０００８】
ソヤマ（Ｓｏｙａｍａ）ら（「クリニカル・ケミストリー（Ｃｌｉｎ．　Ｃｈｅｍ．），　１９８４年，　第３０巻（２），　ｐ．２９３−２９４）及びアカザワ（Ａｋａｚａｗａ）ら（「ジャーナル・オブ・クリニカル・エンドクリノロジー・アンド・メタボリズム（Ｊ．　Ｃｌｉｎ．　Ｅｎｄｏｃｒｉｎｏｌ．　Ｍｅｔａｂ．）」，　１９８６年，　第６２巻（５），　ｐ．９８４−９８９）は、グルコースオキシダーゼを用いてグルコースを除去する方法を報告している。具体的には、グルコースオキシダーゼとカタラーゼを用いて予め試料中のグルコースを除去し、アデノシン三リン酸の存在下、マンノースにヘキソキナーゼを作用させてマンノース−６−リン酸に変換し、続いてマンノース−６−リン酸イソメラーゼを作用させてフルクトース−６−リン酸に変換した後、更にグルコース−６−リン酸イソメラーゼを作用させてグルコース−６−リン酸とし、最後に、補酵素ニコチンアミドアデニンジヌクレオチド（以下、ＮＡＤと示す）の存在下、グルコース−６−リン酸デヒドロゲナーゼを作用させて生じた還元型ニコチンアミドアデニンジヌクレオチド（以下、ＮＡＤＨと示す）の吸光度（３４０ｎｍ）を分光光度計で測定することにより、マンノースを定量している。しかしながら、本測定法では、グルコースの除去が不完全であったり、長時間に反応すると、マンノースまで反応してしまうという問題があった（「クリニカル・ケミストリー（Ｃｌｉｎ．　Ｃｈｅｍ．）」，　１９９７年，　第４３巻（３），　ｐ．５３３−５３８）。
【０００９】
上記酵素法の改良として、ピトカネン（Ｐｉｔｋａｎｅｎ）らにより、グルコースやフルクトースが共存する試料に、アデノシン三リン酸及びニコチンアミドアデニンジヌクレオチドリン酸（以下、ＮＡＤＰと示す）存在下、ヘキソキナーゼ、グルコース−６−リン酸イソメラーゼを作用させて、グルコースやフルクトースをグルコース−６−リン酸に変換し、更にグルコース−６−リン酸デヒドロゲナーゼを添加してグルコース−６−リン酸をグルコン酸−６−リン酸に変換し、このときに生じる還元型ニコチンアミドアデニンジヌクレオチドリン酸（以下、ＮＡＤＰＨと示す）を塩酸酸性下で分解することにより、グルコース等による影響を除去した後、上記方法と同様にして、マンノースにヘキソキナーゼ、マンノース−６−リン酸イソメラーゼ、グルコース−６−リン酸イソメラーゼ、グルコース−６−リン酸デヒドロゲナーゼを作用させて生じたＮＡＤＰＨの吸光度（３４０ｎｍ）を測定するマンノースの定量方法が報告されている（「ヨーロピアン・ジャーナル・オブ・クリニカル・ケミストリー・アンド・クリニカル・バイオケミストリー（Ｅｕｒ．　Ｊ．　Ｃｌｉｎ．　Ｃｈｅｍ．　Ｃｌｉｎ．　Ｂｉｏｃｈｅｍ．）」，　１９９７年，　第３５巻（１０），　ｐ．７６１−７６６）。
【００１０】
また、ジェームズ（Ｊａｍｅｓ）らは、グルコキナーゼ（ＥＣ２．７．１．２）を用いてグルコースを選択的にリン酸化し、生じたグルコース−６−リン酸をアニオン交換樹脂を充填した遠心型のミニカラムで吸着除去後、吸着されずに通過液中に回収されたマンノースを、前記の酵素を用いたマンノース測定法で検出している（「クリニカル・ケミストリー（Ｃｌｉｎ．　Ｃｈｅｍ．）」，　１９９７年，　第４３巻（３），　ｐ．５３３−５３８）。しかしながら、上述した酵素法は、数種の酵素反応を組み合わせた複雑な酵素共役系を介することから、すべての酵素の至適化を行なうことが困難であり、また、高価な酵素を多数組み合わせて用いるためコスト面でも問題があった。更に、生体試料由来の成分や夾雑物の影響を受け易い欠点があった。
【００１１】
また、特開平１１−２６６８９６号公報には、あらかじめ検体をピラノースオキシダーゼ又はＬ−ソルボースオキシダーゼ等のグルコースの２位酸化酵素、或いはピラノースオキシダーゼ又はＬ−ソルボースオキシダーゼ等のグルコースの２位酸化酵素とグルコースオキシダーゼ等のグルコースの１位酸化酵素を組み合わせて処理し、検体中に存在するグルコースを完全に除去してからマンノースを測定する方法が記載されている。更に、特開２００１−１９７９００号公報には、ＮＡＤＰ依存性アルドヘキソースデヒドロゲナーゼを用いたマンノースの定量方法が記載されている。しかしながら、ＮＡＤＰはＮＡＤより試薬として数倍高価であり、コスト面で優れる測定方法及び測定試薬の開発が望まれていた。
【００１２】
【発明が解決しようとする課題】
本発明の目的は、安価であり、正確かつ簡便で多数の検体処理が可能なＤ−マンノースの測定方法及び測定用試薬を提供することにある。
【００１３】
【課題を解決するための手段】
上記目的を達成するため、本発明者らは、試料中のＤ−マンノースに、Ｄ−マンノースに対して酸化能を有するＮＡＤ依存性脱水素酵素をＮＡＤの存在下において作用させ、生成されたＮＡＤＨを定量することを特徴とするＤ−マンノースの測定方法を開発した。本発明により、試料中のＤ−マンノースを、安価で、正確かつ簡便に測定することが可能となった。また、本発明を用いることにより、Ｄ−マンノース測定において多数の検体処理が可能となった。
【００１４】
すなわち、本発明は以下のような構成からなる。
（１）試料中のＤ−マンノースに、Ｄ−マンノースに対して酸化能を有するＮＡＤ依存性脱水素酵素をＮＡＤの存在下において作用させ、生成されたＮＡＤＨを定量することを特徴とするＤ−マンノースの測定方法。
（２）ＮＡＤ依存性脱水素酵素が、アーキア由来のアルドヘキソースデヒドロゲナーゼである上記（１）のＤ−マンノースの測定方法。
（３）Ｄ−マンノースに対して酸化能を有するＮＡＤ依存性脱水素酵素とＮＡＤとを含むことを特徴とするＤ−マンノースの測定用試薬。
（４）ＮＡＤ依存性脱水素酵素が、アーキア由来のアルドヘキソースデヒドロゲナーゼである上記（３）のＤ−マンノースの測定用試薬。
【００１５】
本発明の測定方法において、試料がＤ−マンノースの他にＤ−グルコースを含有するものである場合には、試料中のＤ−グルコースをグルコキナーゼ及びアデノシン三リン酸などのグルコース消去剤によってＮＡＤ依存性脱水素酵素と反応しない構造に変化させた後、ＮＡＤ依存性脱水素酵素を作用させることが好ましい。また、本発明の測定方法において、ＮＡＤ依存性脱水素酵素はアーキア由来のアルドヘキソースデヒドロゲナーゼであることが好ましい。また、試料としては、特に限定されないが、生体試料、例えば、血液、血清、血漿、髄液及び尿などから調製された試料であることが好ましい。
【００１６】
本発明のＤ−マンノース測定用試薬は、更にグルコキナーゼ及びアデノシン三リン酸などのグルコース消去剤を含んでもよい。また、本発明の測定用試薬に用いられる酵素は、ＮＡＤ依存性脱水素酵素がアーキア由来のアルドヘキソースデヒドロゲナーゼであることが好ましい。
【００１７】
本発明によれば、主反応に関与する酵素はＤ−マンノースに対して酸化能を有するＮＡＤ依存性脱水素酵素のみであり、複雑な酵素共役系を介することなく、簡便にかつ正確にＤ−マンノースを定量できる。また、補酵素としてＮＡＤを用いるため、安価な測定系となる。更に、汎用の自動分析装置を用いて多数の検体処理が可能である。
【００１８】
【発明の実施の形態】
本発明において、試料（検体）としては、Ｄ−マンノースの濃度を測定したいものであれば特に制限はないが、血液、血清、血漿、髄液、尿等の生体試料、又はこれらの生体試料から調製された試料、例えば、Ｄ−マンノースを測定しやすいように各種の方法で前処理した試料等が好ましく使用される。このような前処理としては、例えば、Ｄ−グルコースが共存する試料において、グルコースを予め除去するなどの処理が挙げられる。
【００１９】
本発明に用いられる酵素としては、Ｄ−マンノースに対して酸化能を有するＮＡＤ依存性脱水素酵素であればよく、特に制限はないが、好ましくは、アーキア由来のＮＡＤ依存性アルドヘキソースデヒドロゲナーゼが挙げられる。具体的には、例えば、サーモプラズマ・アシッドフィラム（Ｔｈｅｒｍｏｐｌａｓｍａ　ａｃｉｄｏｐｈｉｌｕｍ）から得られるＮＡＤ依存性アルドヘキソースデヒドロゲナーゼが挙げられる。更に具体的には、本発明者らが単離したサーモプラズマ・アシッドフィラム（Ｔｈｅｒｍｏｐｌａｓｍａ　ａｃｉｄｏｐｈｉｌｕｍ）ＡＴＣＣ２５９０５株から得られるＮＡＤ依存性アルドヘキソースデヒドロゲナーゼが挙げられる。本発明に用いられる酵素は、該酵素を生産する微生物を培養して菌体を回収し、この菌体を超音波処理等により破砕して得られる破砕液を、必要に応じて、硫安分画、イオン交換クロマトグラフィー、疎水クロマトグラフィー、ハイドロキシアパタイトゲル、ゲル濾過等のカラムクロマトグラフィを組み合わせて精製することにより得ることができる。
【００２０】
なお、ＮＡＤ依存性脱水素酵素の使用濃度は、特に限定されないが、０．００１〜５単位／ｍｌ、特に０．１〜２単位／ｍｌの範囲とすることが好ましい。
【００２１】
本発明においては、補酵素（電子受容体）としてＮＡＤを用いる。ＮＡＤの使用濃度は、０．０１〜１０ｍｍｏｌ／ｍｌ、特に０．５〜２ｍｍｏｌ／ｍｌの範囲が好ましい。
【００２２】
また、補酵素の還元体を定量するために、還元されることによって発色する発色剤を併用してもよい。かかる発色剤は、使用する補酵素に応じて適宜選択すればよいが、例えば、ＮＡＤの還元体であるＮＡＤＨを定量するために、電子キャリアーとして、フェナジンメトサルフェートやジアホラーゼとテトラゾリウム塩を共存させ、生成されるホルマザン色素を比色定量する方法が挙げられる。
【００２３】
更に、本発明に用いるＤ−マンノースに対して酸化能を有するＮＡＤ依存性脱水素酵素がＤ−マンノース以外にＤ−グルコースにも作用を示す場合、生体試料によっては、グルコースの影響を受けることがある。したがって、生体試料に対する測定精度をより高めるためには、グルコース消去剤を併用することがより好ましい。このグルコース消去剤としては、グルコース６位リン酸化酵素とアデノシン三リン酸とを含有するものが好ましく用いられ、具体的には、グルコキナーゼ、ヘキソキナーゼ等が挙げられ、市販のものを使用できるが、さらに好ましくはグルコースに特異性の高いグルコキナーゼが用いられる。それらの使用量は、試料中のグルコース量により異なるが、概ね０．１〜５０単位／ｍｌである。また、グルコースのリン酸化に必要なアデノシン三リン酸の量は、試料中のグルコース量により異なるが、概ね１〜２０ｍＭである。更に、グルコースリン酸化反応を促進するものとして通常、マグネシウムイオンを５〜５０ｍＭ程度含有させる。グルコース消去のためのグルコースリン酸化反応は、ｐＨ６〜１０の緩衝液中、２０〜５０℃、望ましくは２５〜３７℃で、添加直後から１０分程度行なわれる。
【００２４】
本発明において使用できる緩衝液としては、ｐＨ６〜１０のリン酸緩衝液、グリシン緩衝液、トリス塩酸緩衝液、グッド緩衝液、ホウ酸緩衝液等、通常使用されるものであれば、いずれも使用可能である。
【００２５】
本発明のＤ−マンノース測定用試薬は、グルコース消去剤と測定用酵素とを別々に組合せてもよい。より具体的には、ＮＡＤとグルコース消去剤とを含む第１試薬と、Ｄ−マンノースに対して酸化能を有するＮＡＤ依存性脱水素酵素を含む第２試薬との２試薬で構成するのが好ましい。
【００２６】
本発明のＤ−マンノース測定用試薬を生体試料に添加して反応を行わせた後、反応液中で還元された補酵素の測定は、例えば、補酵素ＮＡＤの還元体に特有な吸収波長における吸光度を測定したり、補酵素ＮＡＤの還元体によって発色する発色剤の発色強度を測定することなどによって行うことができる。
【００２７】
【実施例】
以下、実施例を挙げて本発明を具体的に説明するが、本発明はこれに限定されるものではない。
【００２８】
酵素製造例（ＮＡＤ依存性アルドヘキソースデヒドロゲナーゼの製造）
（１）染色体ＤＮＡの分離
サーモプラズマ・アシッドフィラム（Ｔｈｅｒｍｏｐｌａｓｍａ　ａｃｉｄｏｐｈｉｌｕｍ）ＡＴＣＣ２５９０５株の染色体ＤＮＡを次の方法で分離した。
同菌株を、酵母エキス（ディフコ社製）１ｇ／ｌ、グルコース１０ｇ／ｌ、（ＮＨ４）２ＳＯ４　１．３２ｇ／ｌ、ＫＨ２ＰＯ４　０．３７２ｇ／ｌ、ＭｇＳＯ４・７Ｈ２Ｏ　０．２４７ｇ／ｌ、ＣａＣｌ２・２Ｈ２Ｏ　０．０７４ｇ／ｌ、１０ｍｌ／ｌの微量元素溶液（ＦｅＣｌ３・６Ｈ２Ｏ　１．９３ｇ／ｌ、ＭｎＣｌ２・４Ｈ２Ｏ　０．１８ｇ／ｌ、Ｎａ２Ｂ４Ｏ７・１０Ｈ２Ｏ　０．４５ｇ／ｌ、ＺｎＳＯ４・７Ｈ２Ｏ　２２ｍｇ／ｌ、ＣｕＣｌ２・２Ｈ２Ｏ　５ｍｇ／ｌ、ＮａＭｏＯ４・２Ｈ２Ｏ　３ｍｇ／ｌ、ＶＯＳＯ４・２Ｈ２Ｏ　３ｍｇ／ｌ、ＣｏＳＯ４・７Ｈ２Ｏ　１ｍｇ／ｌ）を加え、硫酸でｐＨを１．３に調節した培地で、５８℃、二晩振とう培養した後、遠心分離（４，０００ｒｐｍ、１５分間）により集菌した。遠心チューブ内に残存する培養液をキムワイプで拭き取った後、細胞１ｇあたり２０％シュークロース、１００ｍＭトリス−塩酸（ｐＨ８．０）、５０ｍＭ　ＥＤＴＡ、０．１％　ＳＤＳを含んだ溶液１５ｍｌに懸濁し、１５０μｌのプロテアーゼＫ溶液（１０ｍｇ／ｍｌ）と１５０μｌのＲＮＡｓｅＡ（１０ｍｇ／ｍｌ）を加え、３７℃、１２時間保温した。これを等量のクロロホルム／フェノール溶液で処理後、遠心分離により水層を分取する操作を３回繰り返した。得られた水層に６００μｌの５Ｍ　ＮａＣｌを加え混合した後、０．８倍量のイソプロピルアルコールを加え、転倒混和後に出現するＤＮＡを硝子棒に巻き付け、精製ＤＮＡ標品とした。この精製ＤＮＡを５ｍｌの１ｍＭ　ＥＤＴＡを含んだ１０ｍＭトリス塩酸（ｐＨ８．０）溶液（以下、ＴＥと略記する）に再溶解し、２００μｌの５Ｍ　ＮａＣｌを加え混合した後、０．８倍量のイソプロピルアルコールを加え、再抽出したＤＮＡを７０％エタノール溶液で洗浄後、風乾してから、１ｍｌのＴＥで溶解した。
【００２９】
（２）ＮＡＤ依存性アルドヘキソースデヒドロゲナーゼをコードする遺伝子を含有するＤＮＡ断片及び該ＤＮＡ断片を有する組換えベクターの調製
ＰＣＲ用プライマーＴａ０７５４ｓ（配列表の配列番号３）、Ｔａ０７５４ａｓ（配列表の配列番号４）を作製し、（１）のＤＮＡを鋳型とし、Ｐｆｕｔｕｒｂｏ　ＤＮＡポリメラーゼを用い、以下のサイクルでＰＣＲを行った。
ステップ１：９４℃、１分
ステップ２：５８℃、１分
ステップ３：７２℃、２．５分（３０サイクル）
得られたＰＣＲ産物を１％アガロースゲルにて泳動すると、０．７８ｋｂの大きさの特異的バンドが認められたので、これを常法にて単離し、制限酵素ＮｃｏＩとＸｈｏＩで消化し、同じくＮｃｏＩとＸｈｏＩで消化して得られたｐＥＴ２８開環物とライゲーション後、エシェリヒア・コリＸＬ１／Ｂｌｕｅを形質転換し、ｐＥＴ／Ｔａ０７５４を作製した。
【００３０】
（３）塩基配列の決定
ｐＥＴ／Ｔａ０７５４の約０．８ｋｂｐの挿入ＤＮＡについて、ＢｉｇＤｙｅ　Ｔｅｒｍｉｎａｔｏｒ　Ｃｙｃｌｅ　Ｓｅｑｕｅｎｃｉｎｇ　Ｒｅａｄｙ　Ｒｅａｃｔｉｏｎ　Ｋｉｔ（アプライドバイオシステムズ社）とＡＢＩ３１００（アプライドバイオシステムズ社）を用いて塩基配列を決定した。決定した塩基配列及びアミノ酸配列をそれぞれ配列表の配列番号２及び１に示した。アミノ酸配列から求められるタンパク質の分子量は約２８，９００であった。
【００３１】
（４）形質質転換体の作製
エシェリヒア・コリＢＬ２１（ＤＥ３）ＲＩＬのコンピテントセルをｐＥＴ／Ｔａ０７５４で形質転換し、形質転換体エシェリヒア・コリＢＬ２１（ＤＥ３）ＲＩＬ（ｐＥＴ／Ｔａ０７５４）を得た。
【００３２】
（５）エシェリヒア・コリＢＬ２１（ＤＥ３）ＲＩＬ（ｐＥＴ／Ｔａ０７５４）からのＮＡＤ依存性アルドヘキソースデヒドロゲナーゼの製造
ＬＢ培地１００ｍｌを５００ｍＬフラスコに分注し、１２１℃、２０分間オートクレーブを行い、放冷後、別途無菌濾過した１０ｍｇ／ｍｌカナマイシン、３３ｍｇ／ｍｌクロラムフェニコール（ナカライテスク製）０．１ｍｌを添加した。この培地に、ＬＢ培地で予め３０℃、１７時間振とう培養したエシェリヒア・コリＢＬ２１（ＤＥ３）ＲＩＬ（ｐＥＴ／Ｔａ０７５４）の培養液１ｍｌを接種し、３７℃で９時間通気攪拌培養した。ＬＢ培地９００ｍｌを２Ｌフラスコに分注し、１２１℃、２０分間オートクレーブを行い、放冷後、別途無菌濾過した１０ｍｇ／ｍｌカナマイシン、３３ｍｇ／ｍｌクロラムフェニコール（ナカライテスク製）０．９ｍｌを添加した。この培地に、先程の９時間培養したエシェリヒア・コリＢＬ２１（ＤＥ３）ＲＩＬ（ｐＥＴ／Ｔａ０７５４）の培養液１００ｍｌを接種し、３７℃で１７時間通気攪拌培養した。培養終了時のＮＡＤ依存性アルドヘキソースデヒドロゲナーゼ活性は約４Ｕ／ｍｌであった。
上記菌体を遠心分離にて集菌し、５０ｍＭリン酸カリウム緩衝液（ｐＨ８．０）に懸濁した。上記菌体懸濁液を超音波で破砕し、遠心分離を行い、上清液を得た。得られた粗酵素液を６０℃、６０分間熱処理し、遠心分離を行い、上清液を得た。ポリエチレンイミンによる除核酸処理及び硫安分画を行った後、セファデックス（Ｓｅｐｈａｄｅｘ）Ｇ−２５（ファルマシアバイオテク製）によるゲル濾過により脱塩し、ＤＥＡＥセファロースＣＬ−６Ｂ（アマーシャム・ファルマシア・バイオテク製）カラムクロマトグラフィー、Ｓｕｐｅｒｄｅｘ−２００（アマーシャム・ファルマシア・バイオテク製）カラムクロマトグラフィーにより分離、精製を行い、精製酵素標品を得た。本方法により得られたＮＡＤ依存性アルドヘキソースデヒドロゲナーゼ標品は、電気泳動（ＳＤＳ−ＰＡＧＥ）的にほぼ単一なバンドを示し、この時の比活性は３８Ｕ／ｍｇ−ｓ−タンパク質であった。これをＮＡＤ依存性アルドヘキソースデヒドロゲナーゼの精製酵素液とし、以下の実施例に用いた。
【００３３】
実施例
上記酵素製造例で得られたＮＡＤ依存性アルドヘキソースデヒドロゲナーゼと、電子受容体として補酵素ＮＡＤ（オリエンタル酵母製）を用いて、以下に示すＤ−マンノース定量用試薬を作成した。
・試薬組成：
５０ｍＭ　トリス塩酸緩衝液（ｐＨ８．５）
１．２ｍＭ　ＮＡＤ
２Ｕ／ｍｌ　ＮＡＤ依存性アルドヘキソースデヒドロゲナーゼ
そして、この試薬を用いて、以下に示すようにして、各種濃度（１〜１０ｍＭ）のＤ−マンノース溶液を測定した。
各濃度のＤ−マンノース溶液各１０μｌに対し、試薬２９０μｌを添加して３７℃で５分反応させ、波長３４０ｎｍの吸光度の１分間当りの変化をレイトアッセイにて測定した。これらの操作は、日立７０６０形自動分析装置により行った。この結果を図１に示す。
図１から、Ｄ−マンノース濃度０〜１０ｍＭまで、直線的な吸光度変化の上昇が得られ、正確なＤ−マンノースの定量が可能であることが分かる。
【００３４】
【発明の効果】
このように、本発明によれば、Ｄ−マンノースを含む試料にＮＡＤ依存性アルドヘキソースデヒドロゲナーゼ及び電子受容体としてＮＡＤを添加し作用させることにより、ＮＡＤ依存性アルドヘキソースデヒドロゲナーゼがＤ−マンノースに直接作用して、生成されたＮＡＤの還元体を測定することにより、正確なＤ−マンノースの定量が可能となる。本発明により、安価であり、正確かつ簡便なＤ−マンノースの測定方法及び測定用試薬が提供される。また、本発明は、反応系が簡単であるため、各種自動分析装置への適用も容易であり、多数の検体処理にも適している。
【００３５】
【配列表】
2004081045.tif 000002
2004081045.tif 000003
2004081045.tif 000004
2004081045.tif 000005
2004081045.tif 000006
【図面の簡単な説明】
【図１】本発明によるＤ−マンノース測定の結果を示す。
【図１】
2004081045.tif 000007